(57)【要約】  傾斜検出器（１４）は、容器および内部に配置される収容部（３６）を有する。収容部は、開放端および閉端（４４、４０）を有する。その通常の直立の向きでは、第１の重り（３８）は、収容部の内部に配置される。第２の重り（２６）は、収容部の開放端に隣接して配置される。収容部がその通常の直立の向きにあるときには、第２の重りは、収容部より上に配置され、第１の重りが敏感となる振動周波数に応答して第１の重りが動くときでも収容部からの第１の重りの退出を阻止する。収容部が定められた角度を超えて傾けられると、第２の重りは、第１の重りが収容部から退出することを可能にするようにその阻止位置から動く。第１の重りが収容部から退出したら傾斜指示が生じる。
2010515078.tif 000002
【特許請求の範囲】
【請求項１】
容器と、
閉端、開放端、および前記閉端と前記開放端の間に延在する両側部を有し、前記容器内に配置される収容部と、
前記収容部が直立であり、前記開放端が前記閉端より上にあるときに前記収容部内に配置され、前記収容部が所定の角度を超えて傾くと前記収容部から退出することができる第１の重りと、
前記収容部が直立であるときに前記収容部の開放端より上に配置され、それによって直立の前記収容部からの前記第１の重りの前記退出を阻止する第２の重りであって、前記収容部が前記所定の角度を超えて傾くと前記第１の重りが前記収容部から退出することを可能にするように動く第２の重りと
を備える、傾斜検出器。
【請求項２】
前記収容部が直立であるときに、前記第２の重りが、前記収容部開放端から間隔をあけて前記収容部開放端の上方に配置される枢支点から懸架され、前記収容部がその所定の角度を超えて傾くと、前記第２の重りが、前記収容部開放端から離れるように枢動する、請求項１に記載の傾斜検出器。
【請求項３】
前記第１の重りが第１の振動周波数に応答し、前記第２の重りが第２の振動周波数に応答し、前記第２の振動周波数が前記第１の振動周波数と異なっている、請求項１に記載の傾斜検出器。
【請求項４】
前記第１の重りおよび前記第２の重りが、異なる質量を有する、請求項３に記載の傾斜検出器。
【請求項５】
前記第１の重りおよび前記第２の重りが、異なる材料で作製される、請求項３に記載の傾斜検出器。
【請求項６】
前記第２の重りが、前記第１の重りより大きい寸法を有すると共に前記第１の重りが前記収容部からの退出後に前記収容部の中に再び入るのを阻止するための少なくとも２つの外側部空所を形成する拡張部分を有する、請求項１に記載の傾斜検出器。
【請求項７】
容器と、
閉端、開放端、および前記閉端と前記開放端の間に延在する両側部を有し、前記容器内に配置される収容部と、
前記収容部が直立であり、前記開放端が前記閉端より上にあるときに前記収容部内に配置され、前記収容部が所定の角度を超えて傾くと前記収容部から退出することができる第１の重りと、
前記収容部の前記開放端に隣接して配置される前記容器と結合される枢動ピンと、
前記枢動ピンに枢動可能に結合される第２の重りと
を備える傾斜検出器であって、
前記第２の重りが阻止部を有し、前記阻止部は、前記収容部が直立であるときに前記収容部の前記開放端を阻止する、傾斜検出器。
【請求項８】
前記容器が薄く、それにより前記第１の重りが前記容器内で２次元のみで動く、請求項７に記載の傾斜検出器。
【請求項９】
前記第２の重りが、少なくとも一方の側にリブを有する、請求項８に記載の傾斜検出器。
【請求項１０】
前記第２の重りが両側にリブを有し、一方の側の前記リブが、他方の側の前記リブからずれている、請求項８に記載の傾斜検出器。
【請求項１１】
前記第２の重りが、前記第１の重りより大きい寸法を有する少なくとも２つの外側部空所を形成すると共に前記第１の重りが前記収容部からの退出後に前記収容部の中に再び入るのを阻止するための拡張部分を有する、請求項７に記載の傾斜検出器。
【請求項１２】
前記第２の重りの動きを妨げるために、前記第２の重りの切り欠きの中に挿入可能である着脱自在のアーミング・ピンをさらに含む、請求項７に記載の傾斜検出器。
【請求項１３】
前記容器の前部の少なくとも一部が透明である、請求項７に記載の傾斜検出器。
【請求項１４】
前記第１の重りが第１の色であり、前記容器の後部の内面が第２の色である、請求項１３に記載の傾斜検出器。
【請求項１５】
前記枢動ピンが、ただ１つの円によって外接される複数の半径を有する、請求項７に記載の傾斜検出器。
【請求項１６】
前記第２の重りの下縁部が、半径および平坦部分を有する、請求項７に記載の傾斜検出器。
【請求項１７】
振動による傾斜検出器の偶発的作動を防ぐ方法であって、
閉端および開放端を有し、第１の重りを内部に配置した収容部を設けるステップと、
阻止用の重りを前記開放端の上方に配置することによって、振動による前記収容部から前記開放端を通っての前記第１の重りの退出を阻止するステップと、
前記収容部が所定の角度を超えて傾けられると、前記第１の重りが退出することを可能にするために、前記収容部開放端から離れるように前記阻止用の重りを動かすステップと、
を含む方法。
【請求項１８】
前記阻止用の重りを動かす前記ステップが、前記開放端から離れるように前記阻止用の重りを揺動するステップをさらに含む、請求項１７に記載の方法。
【請求項１９】
阻止用の重りを前記開放端の上方に配置することによって前記収容部開放端からの前記第１の重りの前記退出を阻止する前記ステップが、前記収容部開放端の上方に前記阻止用の重りを懸架するステップをさらに含む、請求項１７に記載の方法。
【発明の詳細な説明】
【技術分野】
【０００１】
本発明は、出荷用段ボール箱などの物体が、倒立されたか、倒置されたか、それとも所定の角度より大きい角度で傾けられたかを判定するための耐振的特徴を有するセンサに関する。
【背景技術】
【０００２】
今日のグローバル経済において、品物、材料、工業品などは、しばしば遠距離を輸送されてようやくそれらの最終目的地に到着する。この出荷過程には、複数の輸送方法が含まれ得る。例えば、アジアで製造された製品が、トラックに積み込まれ、鉄道駅まで輸送され、鉄道車両へ積み込まれ、鉄道によって港まで輸送され、貨物船へ積み込まれ、海を越えて港まで輸送され、トラックへ積み込まれ、道路上をトラックによって輸送され、倉庫まで運ばれることはよくあることである。倉庫に入った後で、製品は空または陸を経由して再び出荷される可能性があり、その後製品の最終使用者に届く。この過程中、製品は何度も積み降ろしされる可能性があり、場合によっては誤った取扱いの結果として損傷を受ける。一部の製品は、それら製品が特定の姿勢で輸送されない場合、損傷を受けやすい。例えば、一部のコンピュータ用ハード・ドライブは、横置きにされた、または逆さまにされた場合に、動作不良を起こすことが知られている。
【０００３】
輸送中および積み降ろし中の製品の誤った取扱いを防ぐのを助けるための様々な対策が、当業界でよく知られている。そのような対策には、所定の向きを維持するようにクレート上へ指示をステンシルで刷り出すことが含まれる。しかし、これらの予防策は、本質的に受動的であり、製品が不適切に取り扱われたかどうか、または損傷が発送に起因するものかどうかに関して警告を受け手に出すことは何もしない。
【０００４】
これらの懸案事項に対処するために、物資がその目的地に到着するとすぐに、コンテナが推奨される姿勢で輸送されたか、それとも所定の最大角度を超えて傾けられたかに関して示す様々な装置が開発された。あるそのような装置の一例は、Ｃｏｎｎの米国再発行特許第３２，５７０号に記載されている。このＣｏｎｎの傾斜検出器は、商業的に成功していることが証明されている。
【０００５】
Ｃｏｎｎの傾斜検出器は、いくつかの振動周波数で誤作動を起こしやすい。物資が誤った取扱いを受けたかをより正確に示し、傾きの誤指示をなくする、耐振機能を含む装置が求められている。
【先行技術文献】
【特許文献】
【０００６】
【特許文献１】米国再発行特許第３２，５７０号
【発明の概要】
【発明が解決しようとする課題】
【０００７】
本発明の目的は、出荷用段ボール箱などの物体が、倒立されたか、倒置されたか、それとも所定の角度より大きい角度で傾けられたかを判定するための耐振的特徴を有するセンサを提供することにある。
【課題を解決するための手段】
【０００８】
本発明は、容器と、この容器内に配置される収容部とを備える傾斜検出器を提供する。この収容部は、閉端および開放端、ならびに２つの端の間に延在する両側部を有する。第１の重りは、収容部が直立であり、開放端が閉端より上にあるときに収容部内に配置される。第１の重りは、収容部が所定の角度を超えて傾くと収容部から退出することができる。第２の重りは、収容部が直立であるときに収容部開放端より上に配置され、それによって第２の重りが、直立の収容部からの第１の重りの退出を阻止する。収容部が所定の角度を超えて傾くと、第２の重りは、第１の重りが収容部から退出することを可能にするように動く。
【０００９】
本発明の一態様によれば、収容部が直立であるときに、第２の重りが、収容部開放端から間隔をあけて収容部開放端より上に配置される枢支点から懸架される。収容部がその所定の角度を超えて傾くと、第２の重りが、収容部開放端から離れるように枢動する。
【００１０】
本発明の別の態様によれば、第１の重りが第１の振動周波数に応答し、第２の重りが第２の振動周波数に応答する。第２の振動周波数は、第１の振動周波数と異なっている。
【００１１】
本発明のさらに別の態様によれば、第１の重りおよび第２の重りが、異なる質量を有する。
【００１２】
本発明のさらに別の態様によれば、第１の重りおよび第２の重りが、異なる材料で作製される。
【００１３】
本発明のさらに別の態様によれば、第２の重りが、第１の重りより大きい寸法を有すると共に第１の重りが収容部からの退出後に収容部の中に再び入るのを阻止するための少なくとも２つの外側部空所を形成する拡張部分を有する。
【００１４】
本発明は、容器および収容部を備える傾斜検出器をやはり提供する。この収容部は、開放端および閉端、ならびに２つの端の間に延在する両側部を有する。第１の重りは、収容部が直立であり、開放端が閉端より上にあるときに収容部内に配置される。第１の重りは、収容部が所定の角度を超えて傾くと収容部から退出することができる。枢動ピンは、収容部の開口部に隣接して配置される容器と結合される。第２の重りは、枢動ピンに枢動可能に結合される。第２の重りが阻止部を有し、この阻止部は、収容部が直立であるときに収容部の開放端を阻止する。
【００１５】
本発明の別の態様によれば、この容器が薄く、それにより第１の重りが容器内で２次元のみで動く。
【００１６】
本発明のさらに別の態様によれば、第２の重りが、少なくとも一方の側にリブを有する。
【００１７】
本発明の別の態様によれば、第２の重りが両側にリブを有し、一方の側のリブが、他方の側のリブからずれている。
【００１８】
本発明のさらに別の態様によれば、第２の重りが、第１の重りより大きい寸法を有する少なくとも２つの外側部空所を形成すると共に第１の重りが収容部からの退出後に収容部に再び入るのを阻止するための拡張部分を有する。
【００１９】
本発明のさらに別の態様によれば、アーミング・ピン（ａｒｍｉｎｇ  ｐｉｎ）が、第２の重りの動きを妨げるために、第２の重りの切り欠きの中に挿入することができる。
【００２０】
本発明のさらに別の態様によれば、容器の前部の少なくとも一部が透明である。
【００２１】
本発明のさらに別の態様によれば、第１の重りが第１の色であり、容器の後部の内面が第２の色である。
【００２２】
本発明のさらに別の態様によれば、枢動ピンは、ただ１つの円によって外接される複数の半径を有する。
【００２３】
本発明のさらに別の態様によれば、第２の重りは、半径および平坦部分を有する下縁部である。
【００２４】
本発明は、振動による傾斜検出器の偶発的作動を防ぐ方法も提供する。収容部は、内部に配置される第１の重りを備える。この収容部は、開放端および閉端を有する。振動による収容部から開放端を通っての第１の重りの退出は、阻止用の重りを開放端の上方に配置することによって阻止される。阻止用の重りは、収容部が所定の角度を超えて傾けられると、第１の重りが退出することを可能にするために、収容部開放端から離れるように動かされる。
【００２５】
本発明の別の態様によれば、阻止用の重りを動かすステップが、開放端から離れるように阻止用の重りを揺動するステップをさらに含む。
【００２６】
本発明の別の態様によれば、阻止用の重りを開放端の上方に配置することによって収容部開放端からの第１の重りの退出を阻止するステップが、収容部開放端の上方に阻止用の重りを懸架するステップをさらに含む。
【図面の簡単な説明】
【００２７】
【図１】外壁に固着された１対の傾斜検出器を備える出荷梱包物の等角図である。  〔図２〜図６〕様々な向きの傾斜検出器を示す図面である。
【図２】直立姿勢での傾斜検出器、阻止位置でのぶら下げ式重り、および保持用収容部内のディスクを示す、好ましい実施形態による本発明の傾斜検出器の正面図である。
【図３】直立姿勢から９０度回転された検出器、９０度枢動した後のぶら下げ式重り、および保持用収容部から退出しようとしているディスクを示す、図２の傾斜検出器の正面図である。
【図４】直立姿勢から９０度回転された検出器、ぶら下げ式重りの複数の側部空所のうち一方の側部空所内のディスクであって、保持用収容部から抜け出しているディスクを示す、図２の傾斜検出器の正面図である。
【図５】直立姿勢から９０度回転された検出器、直立位置から約１３５度枢動したぶら下げ式重り、このぶら下げ式重りの側方空所から落下しているディスクを示す、図２の傾斜検出器の正面図である。
【図６】直立姿勢に戻された検出器、直立の阻止位置でのぶら下げ式重り、保持用収容部から抜け出した後に検出器の基部で残っているディスクを示す、図２の傾斜検出器の正面図である。
【図７】図２の線ＶＩＩ−ＶＩＩに沿った断面図である。
【図８】アーミング・ピンの等角図である。
【図９】ぶら下げ式重りの正面図である。
【図１０】図９の線Ｘ−Ｘに沿った断面図である。
【図１１】ぶら下げ式重りの前側、左側および下側の等角図である。
【図１２】傾斜検出器および構成部品の分解組立図である。
【発明を実施するための形態】
【００２８】
図１を参照すると、出荷梱包物２２などの物体は、梱包物が、出荷中それが推奨される向きに維持されていたか、および所定の最大角度を超えて傾けられなかったかを判定するために、物体の１つまたは複数の壁２４に固着された１つまたは複数の傾斜検出器１４を有する。出荷梱包物２２は、出荷前に品物の周囲に配置されるクレート、パレット、箱、カートン、樽、ドラム缶、缶、瓶または他のコンテナなどの従来の形態のいずれかであってよい。代替として、（１つまたは複数の）傾斜検出器１４が、品物自体の上へ直接置かれてよい。したがって、傾斜検出器１４を担う物体は、品物、品物を担うコンテナなどであってよい。出荷梱包物２２は、（箱の蓋同士の間の合わせ目２０と共に示される）上面１６を有する。上面１６が頂部に常時留まるべきことを示すために、「上向き」矢印１８が、梱包物２２の１つまたは複数の側面に置かれる。このように、梱包物２２は、逆さまになる、または傾くのを防ぐために印が付けられている。
【００２９】
そのような許可されていない傾きがあればそれを検出するために、傾斜検出器１４が使用される。傾斜検出器１４は、直立姿勢にあるときに出荷梱包物２２の直立壁または側壁２４に置かれることが好ましい。好ましい実施形態では、傾斜検出器１４は、２次元において、すなわち検出器の平面において敏感である。したがって、傾斜検出器１４は、梱包物２２の隣接した側壁２４に置かれる別の傾斜検出器１４と組み合わせて使用することができ、２つの傾斜検出器１４は、互いに直角である。
【００３０】
Ｃｏｎｎの米国再発行特許第３２，５７０号の開示全体は、参照により本明細書に組み込まれる。
【００３１】
図２を参照すると、概して、傾斜検出器１４は、閉端４０と、開放端４４と、閉端４０および開放端４４の間に延在する両側部３４とを有する収容部３６を有する。この収容部は、保持用収容部と称される場合もあり、重りを受ける。好ましい実施形態では、傾斜検出器が薄いので、この重りはディスクである。収容部３６は、Ｖ字形または広がった馬蹄形の形態であってよく、Ｖ字または馬蹄形の基部４０が、傾斜検出器１４の基部の近くに配置され、および開放端４４が、検出器１４が直立または垂直の姿勢にあるときにこの閉端４４より上に配置される。Ｖ字または馬蹄形の両側部３４は、互いにある角度で収容部の基部４０から延在しており、第１の重り３８またはディスクが、両側部３４によって形成される空所内に残ることを可能にすると共に、傾斜検出器１４が所定の角度を超えて傾けられると収容部３６から抜け出すことを可能にするようになっている。傾斜検出器の通常の直立の向きにおいて、ディスク３８は、収容部３６の内部に配置される。収容部３６が所定の角度を超えて傾けられると、ディスク３８は、収容部３６から退出する。この角度は一般的に、側部３４が水平または水平より下に向けられる角度である。例えば、検出器がその直立の向きから約８０度へ傾けられると、ディスク３８は、収容部３６から退出できる。収容部両側部３４の傾斜角または角度は、検出器１４が作動することになる角度を決定する。検出器１４は、２方向性であり、検出器１４を所定の角度を超えて収容部３６のどちらかの側部３４へ向かって傾けることにより作動する。
【００３２】
場合によっては、ディスク３８は、ディスク３８が敏感となるまたは応答する振動周波数に応答して動くことになる。この動きにより、収容部３６が傾いていない場合でもディスクが収容部から抜け出す可能性があり、その結果、傾きの誤指示になる。このセットの振動周波数の下でのそのような誤指示を防ぐために、この退出は、第２の重りまたはぶら下げ式重り２６によって阻止される。ぶら下げ式重り２６は、開放端４４に隣接して懸架される。収容部３６が通常の傾いていない向きにあるときには、ぶら下げ式重り２６は、収容部３６からのディスク３８の退出を阻止する。したがって、振動がディスク３８を開放端４４に向かって動かすとしても、傾斜検出器１４は作動しない。ぶら下げ式重り２６は、ディスク３８と同じ振動周波数に敏感でなくまたは応答しない。代わりに、このぶら下げ式重りは、第２のセットの振動周波数に応答する。ぶら下げ式重り２６は、誤った作動を防ぐ一方で、検出器１４の通常動作を妨げない。収容部３６が所定の角度を超えて傾けられると、ぶら下げ式重り２６は、ディスク３８が収容部３６から退出することを可能にするように動く。ディスク３８が収容部３６から退出したら、傾斜指示が生じる。
【００３３】
図７および図１２を参照すると、傾斜検出器１４は、前部４８、後部５０および各側部４６を有する薄い容器４２を有し、この前部４８は少なくとも透明な窓７４を有し、この後部５０は接着材５２の層および着脱自在のアーミング・ピン６０を有する。窓７４は、前部４８上のラベル７６中の開口部によって形成される。検出器１４は薄いので、検出器１４は物体２２に取り付けられたときに低い外形を有する。
【００３４】
収容部３６は、容器内に配置される。容器の前部４８および後部５０は、収容部の両側部を形成する。容器は薄いので、ディスクは、実際上は２次元でのみ動くことができる。前部４８と後部５０の間で３次元にいくらかわずかな動きがある。
【００３５】
ぶら下げ式重り２６は、鋼鉄またはポリカーボネートなどの高密度物質の一片である。好ましい実施形態では、ぶら下げ式重り２６は、ポリカーボネートから形成され、平坦である。ぶら下げ式重り２６は、前部４８および後部５０と平行な平面内でぶら下げ式重り２６がその周りで枢動する枢支点３０と、ぶら下げ式重り２６の枢動を可能にするのに十分な質量および枢支点３０からのずれを有する阻止部または重り３２とを有する。阻止部３２は、重力によって枢支点３０の下方にいつも位置する。ぶら下げ式重りは、容器内で枢支点周りに３６０度回転できる。図２に示すように、収容部が直立である間、阻止部３２は、ディスク３８が収容部３６から退出するのを阻止する。阻止部３２は、収容部３６の開放端４４を阻止するように成形され、コンテナ２２が所定の角度を超えて傾けられない限り、ディスク３８が保持用収容部３６から抜け出すのを防ぐ。阻止部３２は、ぶら下げ式重り２６がその枢支点３０周りに自由に枢動することを可能にするように成形される。
【００３６】
図２に示すように、ぶら下げ式重り２６は、阻止部３２より上に配置される少なくとも２つの横に向かうウイング２９またはアームを有する。ウイング２９は、枢支点３０を間にして阻止部３２と向かい合って配置され、ディスク３８の直径より少なくともわずかに大きい側部空所２８を形成する。好ましい実施形態は側部空所２８を有するが、側部空所２８なしで傾斜検出器１４は、ディスク３８が敏感となる振動周波数が存在する場合に、ディスク３８が抜け出すことを防ぐ。ぶら下げ式重り２６のウイング２９は、ディスク３８が収容部３６から抜け出すと再び入るのを防ぐ。
【００３７】
好ましい実施形態におけるぶら下げ式重り２６は、射出成形されており、容器内で自由に揺動または枢動するように平坦である必要がある精密部品である。図９、図１０および図１１を参照すると、好ましい実施形態のぶら下げ式重り２６は、阻止部３２の前側および後側に架かっている複数のリブ６８と、底縁における切り欠き５８とを有する。ぶら下げ式重り２６の阻止部３２の前側のリブ６８は、ぶら下げ式重り２６の後側のリブ６８からずれている。これらリブにより、ぶら下げ式重り２６は鋳造され、所望の平面度を達成することが可能になる。好ましい実施形態では、図１１に示すように、ぶら下げ式重り２６の下縁部は、半径７０を平坦部分７２と共に有する。この平坦部分７２は、製造プロセスを容易にする。ぶら下げ式重り２６の切り欠き５８は、検出器１４が図２に示される直立姿勢にあるときに、傾斜検出器１４の後部５０中の穴５６と整合する。
【００３８】
ディスク３８は、好ましい実施形態においては金属製であり、ディスク３８が収容部３６から抜け出し、複数の側部空所２８のうちの１つの側部空所２８に入るとぶら下げ式重り２６を枢動させるのに十分な質量である。ディスク３８または重りと、ぶら下げ式重り２６とは、異なる質量であり、異なる材料で作製され、異なる形状であり、その結果２つの重り３８、２６は、異なる振動周波数に応答する。枢支点３０は、阻止部３２が地球に対してぶら下げ式重り２６の最下点において安定することを可能にするように、ぶら下げ式重り２６の重心より上に配置される。ぶら下げ式重り２６は、ぶら下げ式重り２６が枢支点３０周りに回転自在に枢動することを可能にする任意の従来のやり方で懸架されてよい。例えば、好ましい実施形態では、図７に示すように、ぶら下げ式重り２６は枢支点３０で穴を有し、その穴を通って枢動ピン５４が検出器１４の前部４８からぶら下げ式重り２６を通って延在する。
【００３９】
枢動ピン５４は、円柱形であってよい。好ましい実施形態では、枢動ピン５４は、ぶら下げ式重り２６と接触する表面積を減らすようにぎざぎざを用いて成形される。図３に示すように、枢動ピン５４は星形であり、この星の端部５５は丸められている。端部５５は、枢動ピンの半径より小さい半径を有する。端部５５は、枢動ピンの外径を形成する円によって外接される。この配置により、ぶら下げ式重り２６は枢動ピン５４周りに自由に動くことが可能になる。好ましい実施形態のぶら下げ式重り２６は、枢支点３０周りに回転するが、重り２６は、枢動ピン５４に枢動自在に取り付けられる必要はない。代わりに、重り２６は、収容部３６が所定の角度を超えて傾くときにのみ、重り２６が動くことを可能にすると共に、ディスクが収容部３６から抜け出すことを可能にするように、容器４２中の溝またはスロット内で摺動してよい。したがって、重り２６は、収容部が回転によって、平行移動によって、または回転と平行移動の組み合わせによって傾けられると、ディスク３８が抜け出すことが可能になるように収容部から離れるように動くことができる。
【００４０】
容器４２の前部４８は、窓７４において少なくとも透明である。容器４２の後部５０は、金属またはプラスチックなどの任意の従来の材料で形成されてよい。好ましい実施形態では、窓７４を通じて視認可能なディスク３８の前面はある色であり、一方、ハウジング４２の後部５０の壁は別の色であり、それによりディスク３８が保持用収容部３６から抜け出したか容易に明らかにする。容器４２の前部４８、および後部５０は、ディスク３８およびぶら下げ式重り２６を側方への動きに制限するように互いに固着される。図１２に示すように、好ましい実施形態では、容器４２は、容器の中への後部の平坦で同じ高さの嵌合を形成するように後部５０を受ける肩部を備える一体部品の前部４８および各側部４６を有する。
【００４１】
準備ができるまで作動を防ぐための機構が設けられる。ディスク３８が保持用収容部３６内で制限され、図２および図７に示す非作動の直立姿勢にあるときに、ディスク３８の真上の箇所で、検出器１４の容器４２の背面部を通って延在する、図８に示すような、アーミング・ピン６０などの着脱自在の保持用装置がある。このアーミング・ピン６０は、ディスク３８が収容部３６から抜け出すのを防ぐものであり、ピン６０が取り除かれ、検出器１４が使用状態に置かれるそのときまで定位置に留まる。好ましい実施形態では、アーミング・ピン６０のアーミング・シリンダ（ａｒｍｉｎｇ  ｃｙｌｉｎｄｅｒ）６６は、検出器の後部５０中の穴を通って、ぶら下げ式重り２６中の対応する空所５８（図９参照）を通って挿入される。好ましい実施形態のアーミング・ピン６０は、基部６４と、スタンド・オフ・ポスト（ｓｔａｎｄ  ｏｆｆ  ｐｏｓｔ）６２と、アーミング・シリンダ６６とを有する。アーミング解除されていない状態にあるとき、アーミングされていない状態（ｕｎａｒｍｅｄ  ｐｏｓｉｔｉｏｎ）にあるとき、アーミング・ピン６０は、定位置にあり、ぶら下げ式重り２６を阻止位置で維持し、その向きまたは傾きに関わらずディスク３８が保持用収容部３６から抜け出すのを防ぐ。
【００４２】
次に、好ましい実施形態の傾斜検出器１４の動作および使用を説明する。まず、検出器１４は、検出器１４の後部からアーミング・ピン６０を取り除くことによって動作可能になる。次いで、検出器１４は、出荷梱包物２２の直立壁２４に直立で非作動の状態で置かれる。検出器１４は、単独で、または出荷梱包物２２の隣接する直立壁２４に置かれる別の検出器１４と併せて使用できる。動作可能になると、ディスク３８は、出荷梱包物２２が所定の最大角度を超えて傾けられるまで保持用収容部３６の範囲内に留まることになる（図２）。梱包物２２がこの所定の最大角度を超えて傾けられた場合、ぶら下げ式重り２６は、阻止位置から開放位置まで動くことになる（図３）。次いで、ディスク３８は、収容部３６から退出し（図４）、ぶら下げ式重り２６の露出した側方空所２８に入ることになる。側方空所２８内のディスク３８の重量が、ぶら下げ式重り２６をさらに枢動させることになる（図５）。次いで、ディスク３８は、側方空所２８から容器の収容部でない部分の中に落下することになる。図６に示すように、出荷梱包物２２が直立姿勢へ再び向けられると、ぶら下げ式重り２６は、図２に示す阻止位置に戻り、ディスク３８は、保持用収容部３６の外側に留まる。
【００４３】
このようにして、ぶら下げ式重り２６は、振り子として働き、重力によってその向きを維持する。収容部が直立であると、ぶら下げ式重りは、収容部開放端を阻止する。収容部が傾けられると、ぶら下げ式重りは動き、もはや収容部開放端を阻止しない。
【００４４】
ディスク３８が保持用収容部３６の外側に位置した状態では、容器４２の後部の対照的な色は、窓７４を通じて見ることができ、使用者は、出荷梱包物２２が所定の最大角度を超えて傾けられたかを容易に確認できる。
【００４５】
場合によっては、出荷中、いくつかの振動周波数は、ディスクを保持用収容部３６の基部４０から開放端４４へ徐々に動かすことが知られている。ディスク３８より上に懸架されたぶら下げ式重り２６の阻止部３２は、それら振動周波数により阻止部３２が開放位置へ動かされないので、検出器１４が図２に示す非作動の状態にある間、ディスク３８が収容部３６から抜け出すのを防ぐ。本発明の傾斜検出器１４は、所定の最大角度を超えての傾きによってのみ作動することになる。一旦作動すると、ぶら下げ式重り２６のウイング２９は、振動運動の下でディスク３８が収容部３６に再び入るのを妨げる。
【００４６】
傾斜検出器１４は、視覚による傾きの指示を与えるものとして説明してきたが、ディスクの動きを電子的に感知することなどの他の指示が与えられてもよい。
【００４７】
傾斜検出器１４は、薄いものとして説明されており、ディスク３８は２次元のみで動くが、この傾斜検出器は、３次元になされてよい。
【００４８】
前述の開示および図面における提示は、本発明の原理の単なる例示であり、限定的な意味に解釈されるべきではない。本発明の範囲は、特許請求の範囲に基づいて定められるべきである。
【図１】
2010515078.tif 000003
【図２】
2010515078.tif 000004
【図３】
2010515078.tif 000005
【図４】
2010515078.tif 000006
【図５】
2010515078.tif 000007
【図６】
2010515078.tif 000008
【図７】
2010515078.tif 000009
【図８】
2010515078.tif 000010
【図９】
2010515078.tif 000011
【図１０】
2010515078.tif 000012
【図１１】
2010515078.tif 000013
【図１２】
2010515078.tif 000014
【国際調査報告】
2010515078.tif 000015